(57)【特許請求の範囲】
【請求項１】
車体（２）の後部に立設した支柱枠（１２）と、該支柱枠（１２）に基部側を枢着させた作業機取付昇降リンク（１３）と、該作業機取付昇降リンク（１３）に取付けた作業機取付ヒッチ（１４）と、該作業機取付ヒッチ（１４）にロ−リング軸（１８）を介して取付けた機枠（１７）と、該機枠（１７）の下側に装着したフロ−ト（１９，２０ａ，２０ｂ）と、該フロ−ト（１９，２０ａ，２０ｂ）に装着した施肥作溝器（２９）並びに播種作溝器（３０）とを設け、車体（２）側に装着した施肥収容ホッパ−（２２）に収容された粒状肥料（Ｈ）が繰り出されて移送管（２８）中に排出され、施肥用の送風機（２５）から施肥用の空気溜り管（２６）を介して前記移送管（２８）に空気が供給されることにより粒状肥料（Ｈ）が前記施肥作溝器（２９）内に放出されて列状に施肥する構成とし、種籾収容ホッパ−（２３）に収容された種籾（Ｍ）が繰り出されて移送管（２７）中に排出され、播種用の送風機から播種用の空気溜り管を介して前記移送管（２７）に空気が供給されることにより種籾（Ｍ）が前記播種作溝器（３０）内に放出されて列状に播種する構成とすると共に、前記機枠（１７）側から前方上部に向かう懸架枠（４０）に種籾収容ホッパ−（２３）を支持させて該種籾収容ホッパ−（２３）を肥料収容ホッパ−（２２）側へ移動させることができる構成とし、種籾収容ホッパ−（２３）を肥料収容ホッパ−（２２）側へ移動させた状態で種籾収容ホッパ−（２３）を施肥収容ホッパ−（２２）にフック等で連結可能に構成した牽引車。
【発明の詳細な説明】
【０００１】
【発明の属する技術分野】
この発明は、播種機や施肥機等の牽引車に関する。
【０００２】
【従来技術及び発明が解決しようとする課題】
車体２の後部に立設した支柱枠１２と、該支柱枠１２に基部側を枢着させた作業機取付昇降リンク１３と、該作業機取付昇降リンク１３に取付けた作業機取付ヒッチ１４と、該作業機取付ヒッチ１４にロ−リング軸１８を介して取付けた機枠１７と、該機枠１７の下側に装着したフロ−ト１９，２０ａ，２０ｂと、該フロ−ト１９，２０ａ，２０ｂに装着した施肥作溝器２９並びに播種作溝器３０とを設け、施肥収容ホッパ−２２及び種籾収容ホッパ−２３に収容された粒状肥料Ｈ及び種籾Ｍが繰り出されて各移送管２７，２８中に排出され、該各移送管２７，２８を介して粒状肥料Ｈ及び種籾Ｍが前記施肥作溝器２９及び播種作溝器３０内に放出されて列状に施肥及び播種する構成とした牽引車において、この牽引車に田植機を装着して田植機への変更を簡単にできるようにすることを課題とする。
【０００３】
【課題を解決するための手段】
この発明は、前述の課題を解消するために次の技術的な手段を講じた。
即ち、車体２の後部に立設した支柱枠１２と、該支柱枠１２に基部側を枢着させた作業機取付昇降リンク１３と、該作業機取付昇降リンク１３に取付けた作業機取付ヒッチ１４と、該作業機取付ヒッチ１４にロ−リング軸１８を介して取付けた機枠１７と、該機枠１７の下側に装着したフロ−ト１９，２０ａ，２０ｂと、該フロ−ト１９，２０ａ，２０ｂに装着した施肥作溝器２９並びに播種作溝器３０とを設け、車体２側に装着した施肥収容ホッパ−２２に収容された粒状肥料Ｈが繰り出されて移送管２８中に排出され、施肥用の送風機２５から施肥用の空気溜り管２６を介して前記移送管２８に空気が供給されることにより粒状肥料Ｈが前記施肥作溝器２９内に放出されて列状に施肥する構成とし、種籾収容ホッパ−２３に収容された種籾Ｍが繰り出されて移送管２７中に排出され、播種用の送風機から播種用の空気溜り管を介して前記移送管２７に空気が供給されることにより種籾Ｍが前記播種作溝器３０内に放出されて列状に播種する構成とすると共に、前記機枠１７側から前方上部に向かう懸架枠４０に種籾収容ホッパ−２３を支持させて該種籾収容ホッパ−２３を肥料収容ホッパ−２２側へ移動させることができる構成とし、種籾収容ホッパ−２３を肥料収容ホッパ−２２側へ移動させた状態で種籾収容ホッパ−２３を施肥収容ホッパ−２２にフック等で連結可能に構成した牽引車とした。
【０００４】
【実施例】
この発明の一例を図面に基づき詳細に説明する。
１は牽引車で、下部側の車体２には左右一対の操舵用の駆動前輪３，３と左右一対の径大駆動後輪４，４を設け、車体２の前部上方には操縦枠５を立設してその上部に操縦ハンドル６を設け、この操縦ハンドル６の後位には操縦座席７を配設している。８はフロントミッションケ−ス，９は後輪伝動ケ−スを示す。１０はエンジンで、前記操縦座席７の下部側車体に搭載され、エンジンカバ−１１で覆われ、座席７が該カバ−上に設けられている。
【０００５】
１２は支柱枠で、前記車体２の後部に枠組みされて立設されている。
１３は作業機取付昇降リンクで、前記支柱枠１２に基部側を枢着させた上リンク体１３ａと下リンク体１３ｂの後部を連結リンク体１３ｃで枢結し、この連結リンク１３ｃに作業機取付ヒッチ１４を一体的に取付け、前記下リンク体１３ｂと前記車体との間に油圧装置１５を介装させて該油圧装置で昇降リンクを昇降回動できるように構成している。
【０００６】
１６は播種施肥装置で、その機枠１７を前記作業機取付ヒッチ１４にロ−リング軸１８を介してその左右中心部を回動自在に取付け、この機枠１７が左右側に対称上に延設されている。そして、この左右に延びる機枠１７の下側に、圃場面を滑走できる左右中央部フロ−ト１９、その左右側に所定の間隔を配して側部フロ−ト２０ａ，２０ｂが装着されている。これら各フロ−トは後部側を支点に前部側が上下動できるように取り付けられ圃場表面に沿って順応して上下動可能に構成されている。また、この左右中央部フロ−ト１９の先端側と前記機枠１７との間には油圧バルブ２１を設けてフロ−トの上下で該バルブが自動的に切り換えられて前記油圧装置１５をして播種施肥装置１６を昇降制御するよう構成し、フロ−トの高さが自動的に表土面に沿うよう構成されている。
【０００７】
この播種施肥装置１６の一実施例の構成を説明すると、肥料収容ホッパ−２２と種籾収容ホッパ−２３とを左右に並べて一体的に構成し、単一の繰出ロ−ル２４を左右中間部で仕切って肥料Ｈと田籾Ｍとが並列して同時に繰り出されるよう構成している。そして、この繰り出された両粒状物は、送風機２５によって圧風された空気溜り管２６から吹き出される圧風により移送管２７，２８中を流送されそれぞれ前記フロ−トに装着の施肥作溝器２９，播種作溝器３０内へ放出されて施肥及び播種される。
【０００８】
そして、前記各移送管２７及び移送管２８はその基部側において振り分け機構によって二又状に形成された分岐管３１，３２で分けられて移送管２７ａ，２７ｂ及び２８ａ，２８ｂにそれぞれ分配移送されるよう構成される。即ち、その分岐部には前記播種施肥装置の粒状物繰出ロ−ル２４への動力を伝達させる第１駆動軸３３と連動する第２駆動軸３４に取り付けたクランク３４ａからロッド３６，ア−ム３７を介して繰出ロ−ル２４のラチェット機構及び振分弁体３５を駆動して粒状物の繰出しと振り分けを行うよう構成している。３８は移送管取付け板で、前記機枠１７に固着の背面視門型のフレ−ム３９に取り付けられていて、前記各移送管２７，２８が固定されている。
【０００９】
前記各移送管２７，２８の肥料及び種籾放出部である先端側は、これらのものが詰まるのを防止する構成として垂直状を保持する硬質の屈曲しない直状管２７ｃ，２８ｃになっていて、前記分岐管３１，３２とこの先端部側の硬質の直状管２７ｃ，２８ｃとの間を連結する移送管を屈折自在な移送管に構成している。４０は肥料Ｈを押圧埋設するロ−ラを示す。
【００１０】
上例の構成において、施肥収容ホッパ−２２，種籾収容ホッパ−２３に収容された各肥料Ｈ及び種籾Ｍが繰出ロ−ル２４ａ，２４ｂによって繰り出され、下部の移送管中に定量づつ排出される。一方、送風機２５で空気が吹き込まれた空気溜り管２６から各移送管に空気が吹き込まれ、肥料Ｈ及び種籾Ｍが分岐管３１，３２の基端部へ移送される。この分岐管３１，３２の各分岐部分では、繰出ロ−ル２４を伝動回転させる第１駆動軸３３に連動する第２駆動軸３４からクランク伝動される振分弁体３５ａ，３５ｂにより肥料Ｈ及び種籾Ｍが略均一に振り分けられて分岐管の各部へ移送され、そのまま屈曲自在な可撓移送管を経て更にこれに連結された硬質移送管２７ｃ，２８ｃを通り、フロ−トに連結された施肥作溝器２９及び播種作溝器３０内に放出され列状に施肥、播種されることになる。その後、圃場へ撒かれた肥料Ｈはロ−ラ４０で鎮圧される。
【００１１】
この発明と関連の技術について説明する。
第６図の通り、前記施肥及び播種の繰出ロ−ルの伝動回転を牽引車１の走行速度に比例するＰＴＯ軸で回転伝動させることが重要であり、また、前記前記分岐管３１，３２の振分弁体３５ａ，３５ｂも同じく車速に比例させることで、圃場に邑なく播種、施肥を行うことができる。
【００１２】
前記振り分け装置を、第７図及び第８図の通り、繰出ロ−ル２４の真下部分に振分弁体３５ｃを配置させると、分岐管を簡略でき、構成が簡単になる。
前記実施例では、肥料収容ホッパ−２２と種籾収容ホッパ−２３とを一体構成したが、第９図の通り、別体に構成してもよく、この場合には両者を着脱自在になし、田植機の構成時には種籾収容ホッパ−２３を取り除くと、田植機用の施肥装置がそのまま転用でき、極めて便利になる。
【００１３】
播種用の種籾収容ホッパ−２３を含む関連部材を、第１０図の通り、播種施肥装置１６の後部機枠１７側から前方上部に向かう懸架枠４０を構成して肥料収容ホッパ−２２側に種籾収容ホッパ−２３を懸架枠４０に支持させたままで移動させて両者をフック等で連結可能に構成し、種籾を供給するような場合には仮想線図で示すとおり後方下位に移動すればその作業を簡単にできる。尚、懸架手段は実施例に限らずリンク機構であっても良い。
【００１４】
第１１図で示した通り、播種機側の種籾収容ホッパ−２３を、機枠１７側に支持枠４２を介して装着し、昇降リンク機構１３によって播種施肥装置１６を昇降作動するとき、前記種籾収容ホッパ−２３が、肥料収容ホッパ−２２の側面視後方側に接近して当該肥料収容ホッパ−２２より高く突出する状態と低い位置との間で上下動するよう構成し、種籾Ｍをホッパ−２３内に操縦座席側から種籾収容ホッパ−２３を高くさせておいて補給可能にすると便利である。
【００１５】
【発明の作用効果】
この発明によれば、機枠１７側から前方上部に向かう懸架枠４０に種籾収容ホッパ−２３を支持させて該種籾収容ホッパ−２３を肥料収容ホッパ−２２側へ移動させることができる構成としたので、種籾収容ホッパ−２３を後方下位に移動すれば種籾を供給する作業を簡単にできる。また、種籾収容ホッパ−２３を肥料収容ホッパ−２２側へ移動させた状態で種籾収容ホッパ−２３を施肥収容ホッパ−２２にフック等で連結可能に構成したので、播種機を田植機へ変更する際、単に播種装置を取り外して田植機を装着するだけで施肥装置はそのまま転用して施肥装置付き田植機になり、施肥装置付き田植機と施肥装置付き播種機との切替が簡単になる。
【図面の簡単な説明】
【図１】側面図
【図２】要部の側面図
【図３】要部の平面図
【図４】要部の側断面図
【図５】要部の背断面図
【図６】要部の断面図
【図７】別例の要部の断面図
【図８】第７図の背断面図
【図９】別例の要部の側面図
【図１０】別例の要部の側面図
【図１１】別例の要部の側面図
【符号の説明】
１…牽引車、２…車体、１２…支柱枠、１３…作業機取付昇降リンク、１４…作業機取付ヒッチ、１７…機枠、１８…ロ−リング軸、１９…左右中央部フロ−ト、２０ａ，２０ｂ…側部フロ−ト、２２…施肥収容ホッパ−、２３…種籾収容ホッパ−、２５…送風機、２６…空気溜り管、２７，２８…移送管、２９…施肥作溝器、３０…播種作溝器、４０…懸架枠、Ｈ…粒状肥料、Ｍ…種籾
【図１】
0003689969.tif 000002
【図２】
0003689969.tif 000003
【図３】
0003689969.tif 000004
【図４】
0003689969.tif 000005
【図５】
0003689969.tif 000006
【図６】
0003689969.tif 000007
【図７】
0003689969.tif 000008
【図８】
0003689969.tif 000009
【図９】
0003689969.tif 000010
【図１０】
0003689969.tif 000011
【図１１】
0003689969.tif 000012